【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
振戦を患っている患者を治療するためのシステムであって、
パルスジェネレータと、
前記患者の腕又は手首に固定されるように適用される円周のバンドであって、前記バンドは、前記パルスジェネレータと電気的に通信する第１及び第２の電極を支持しており、前記第１及び第２の電極は、前記患者の正中、放射、又は尺骨神経から選択された第１の神経を優先的に励起するために、前記患者に前記パルスジェネレータから電気的な刺激を伝達するように、前記バンドにおいてスペースがあけられており、前記第１及び第２の電極は、前記腕又は手首の横断面において、前記第１の神経と前記第１の電極とを結ぶラインと、前記第１の神経と前記第２の電極とを結ぶラインととの間において、９０度から１８０度の角度が存在するように、設けられて及び構成されている、前記バンドと、
を備えるシステム。
【請求項２】
請求項１に記載のシステムであって、前記バンドは、前記パルスジェネレータと電気的に通信する第３の電極を支持し、前記第１及び第３の電極は、前記患者の正中、放射、又は尺骨神経から選択された第２の神経を優先的に励起するために、前記患者に前記パルスジェネレータから電気的な刺激を伝達するように、前記バンドにおいてスペースがあけられており、前記第１及び第３の電極は、前記腕又は手首の横断面において、前記第２の神経と前記第１の電極とを結ぶラインと、前記第２の神経と前記第３の電極とを結ぶラインととの間において、９０度から１８０度の角度が存在するように、設けられて及び構成されており、前記第１の神経及び前記第２の神経は、異なる神経である、
システム。
【請求項３】
請求項２に記載のシステムであって、前記円周のバンドが前記患者の腕又は手首の周りに固定されているとき、前記第１の電極は、前記患者の腕又は手首の背側に設けられており、前記第２の電極は、前記患者の腕又は手首の腹側に設けられており、及び、前記第３の電極は、前記第１の電極及び第２の電極の間において、前記患者の腕又は手首に設けられている、
システム。
【請求項４】
請求項１に記載のシステムであって、前記電極は各々中心を備えており、及び、前記電極中心は、約５ｍｍから前記手首又は腕の前記円周の４分の１離れている、
システム。
【請求項５】
請求項１に記載のシステムであって、前記バンドは、フレキシブル回路構成を備えており、前記バンドは、前記バンドの前記フレキシブル回路構成と前記パルスジェネレータとの間での、電気的通信も提供するリベットされたコネクタを介して前記ハウジングにくくり付けられる、
システム。
【請求項６】
請求項１に記載のシステムであって、前記ハウジングは、前記患者の手への方向に向けられるように構成された遠端と、前記患者の手から離れる方向に向けられるように構成された近端と、を備え、前記バンド、前記第１の電極、及び前記第２の電極は、前記ハウジングの前記近端よりも前記ハウジングの遠端により近い、
システム。
【請求項７】
請求項１に記載のシステムであって、前記パルスジェネレータは、前記単一のパルスジェネレータであり、前記システムは、更に、
少なくとも電極の１つのペアの間で、前記パルスジェネレータをスイッチするように構成されたスイッチマトリクス、を備える、
システム。
【請求項８】
請求項７に記載のシステムであって、前記スイッチマトリクスは、単一高電圧ソース及びグランンドを備える、
システム。
【請求項９】
請求項７に記載のシステムであって、前記スイッチマトリクスにおける各電極は、保護回路構成の自身のセットに関連付けられている、
システム。
【請求項１０】
請求項２に記載のシステムであって、前記パルスジェネレータから前記電極への交流刺激パターンを伝達するように構成されたコントローラ、を更に備える、
システム。
【請求項１１】
請求項１０に記載のシステムであって、前記刺激パターンは、前記患者の正中、放射、又は尺骨神経から選択された第１の神経への第１のパルス列、及び、前記患者の正中、放射、又は尺骨神経から選択された異なる神経に伝達される第２のパルス列において伝達される電気的刺激の複数の交流バーストのアプリケーションを備え、前記第１のパルス列及び前記第２のパルス列は、前記振戦の周期の約２分の１オフセットしている、
システム。
【請求項１２】
請求項１０に記載のシステムであって、前記刺激パターンは、電気的刺激の複数のバーストのアプリケーションを備え、各バーストは、約５０Ｈｚ及び２，０００Ｈｚの間の刺激周波数、及び約５０マイクロ秒及び１ミリ秒の間のパルス幅、及び、単相性長方形、二相性非対称長方形、あるいは、二相性対称長方形を含むグループから選択されたパルス形状を備える、
システム。
【請求項１３】
請求項１０に記載のシステムであって、前記刺激パターンは、電気的刺激の複数のバーストのアプリケーションを備え、各バーストは、前記振戦の周期の約２分の１の存続期間を備える、
システム。
【請求項１４】
請求項１に記載のシステムであって、前記患者の腕又は手首のモーションを測定するように構成されたモーションセンサ、を更に備える、
システム。
【請求項１５】
請求項１４に記載のシステムであって、前記モーションセンサは、３軸ジャイロスコープ又は加速度計を備える、
システム。
【請求項１６】
請求項１４に記載のシステムであって、前記パルスジェネレータ及び前記モーションセンサと通信するコントローラ、を更に備え、前記コントローラは、前記モーションセンサによって生成される信号に基づいて、前記振戦の１つ以上の特徴を決定するようにプログラムされている、
システム。
【請求項１７】
請求項１６に記載のシステムであって、前記振戦の前記１つ以上の特徴は、前記振戦周波数、前記振戦振幅、及び前記振戦位相を含むグループから選択される、
システム。
【請求項１８】
請求項１６に記載のシステムであって、前記コントローラは、前記振戦の前記決定された特徴に基づいて、前記電気的な刺激の１つ以上のパラメーターを調整するように、更にプログラムされる、
システム。
【請求項１９】
請求項２に記載のシステムであって、前記第１の電極、第２の電極、及び第３の電極は、前記パルスジェネレータとの電気的通信のための１つ以上の電気コネクタを有する、使い捨て可能であり置き換え可能であるフレキシブルサブストレートに設けられる、
システム。
【請求項２０】
請求項１９に記載のシステムであって、各電極は、くくり付け及び取り外しを行うことを援助するためにプルタブ、を更に備える、
システム。
【請求項２１】
請求項１９に記載のシステムであって、前記ハウジング及び／又はバンドは、前記第１の電極、第２の電極、及び第３の電極を取り外し可能に受けるための複数の電気的スナップ、を備える、
システム。
【請求項２２】
請求項１９に記載のシステムであって、前記第１の電極、第２の電極、及び第３の電極は、前記ハウジング及び／又はバンドにおける前記複数の電気的スナップの位置に対応するスペースを有する薄いライナーに設けられる、
システム。
【請求項２３】
請求項１９に記載のシステムであって、前記第１の電極、第２の電極、及び第３の電極が前記ハウジング及び／又はバンドに取り付けられ得るように、前記ハウジング及び前記バンドを確実に支持するクレードル、を更に備える、
システム。
【請求項２４】
請求項２３に記載のシステムであって、前記クレードルは、前記ハウジングの前記ベースが露出されるように、前記ハウジングを確実に受けるためのキャビティ、を備える、
システム。
【請求項２５】
請求項２に記載のシステムであって、前記第１の電極、第２の電極、及び第３の電極は、前記電極が前記ハウジング又はバンドから所定の距離伸びるように、前記ハウジング又はバンドに入り込まされている、
システム。
【請求項２６】
請求項１に記載のシステムであって、前記第１の電極及び第２の電極は、使い捨て可能であり置き換え可能である、
システム。
【請求項２７】
請求項１に記載のシステムであって、前記バンドは、前記電極を取り囲みこれらを脱水から保護するように構成されたモールド可能なギザギザを備える、
システム。
【請求項２８】
請求項１に記載のシステムであって、前記第１の電極及び前記第２の電極は、電気的に伝導性のハイドロゲルでコートされている、
システム。
【請求項２９】
請求項１に記載のシステムであって、前記第１の電極及び前記第２の電極は、フォーム裏層に接続される、
システム。
【請求項３０】
請求項２９に記載のシステムであって、前記フォーム裏層は、前記電極の間に曲がりくねった形状の部分を備える、
システム。
【請求項３１】
請求項１に記載のシステムであって、前記ハウジングは、１つ以上の押圧可能なユーザ入力ボタン、前記ハウジングのサイドに設けられた各ボタン、及び各ボタンから前記ハウジングの前記反対側における広い支え面、を備える、
システム。
【請求項３２】
請求項１に記載のシステムであって、前記ハウジングは、前記患者の腕又は手首の前記湾曲に沿うカーブした面を有する皮膚接触サイド、を備える、
システム。
【請求項３３】
請求項１に記載のシステムであって、再充電可能なバッテリと、前記バッテリを誘導的に充電するための外部ソースからのパワーを受けるように構成された誘導性コイルと、を更に備える、
システム。
【請求項３４】
請求項１に記載のシステムであって、前記電極は、約５ｍｍと前記腕又は手首の周りの４分の１との間の直径又は幅、を備える、
システム。
【請求項３５】
請求項１に記載のシステムであって、
前記第１及び第２の電極を介して前記第１の神経を優先的に刺激するように構成された前記電気的な刺激を前記患者に送達するように、前記パルスジェネレータに信号を送るように構成されたコントローラ、を更に備える、
システム。
【手続補正２】
【補正対象書類名】明細書
【補正対象項目名】０２２６
【補正方法】変更
【補正の内容】
【０２２６】
この開示は、多数の観点において、本願発明の多数の代替の装置の実施形態の例示のためにのみであることについて理解される。本願発明の様々な実施形態の範囲を逸脱することなく、様々な装置コンポーネントの特に形状、サイズ、材料、及びアレンジメントにおいて、詳細に製造され得る。当業者は、これらの例示の実施形態及び記載が、全体として発明の単に例示であることについて理解するであろう。発明のいくつかの原理は、上述の例示の実施形態において明確に記載さているが、当業者は、使用の構造、アレンジメント、割合、エレメント、材料、及び方法の変更は、本願発明の実施内にて利用可能で、及び、さもなければ、本願発明の範囲から逸脱することなしで、特定の環境及び運転可能な要求に特に適用される、ことについて理解するであろう。加えて、ある特徴及びエレメントは、特定の実施形態に関連付けて記載されたが、当業者は、これらの特徴及びエレメントが、本明細書に記載の他の実施形態と組み合わせられ得ることについて、理解するであろう。
〔付記１〕
振戦を患っている患者を治療するためのシステムであって、
パルスジェネレータと、
前記患者の腕又は手首に固定されるように適用される円周のバンドであって、前記バンドは、前記パルスジェネレータと電気的に通信する第１及び第２の電極を支持しており、前記第１及び第２の電極は、前記患者の正中、放射、又は尺骨神経から選択された第１の神経を優先的に励起するために、前記患者に前記パルスジェネレータから電気的な刺激を伝達するように、前記バンドにおいてスペースがあけられており、前記第１及び第２の電極は、前記腕又は手首の横断面において、前記第１の神経と前記第１の電極とを結ぶラインと、前記第１の神経と前記第２の電極とを結ぶラインととの間において、９０度から１８０度の角度が存在するように、設けられて及び構成されている、前記バンドと、
を備えるシステム。
〔付記２〕
付記１に記載のシステムであって、前記バンドは、前記パルスジェネレータと電気的に通信する第３の電極を支持し、前記第１及び第３の電極は、前記患者の正中、放射、又は尺骨神経から選択された第２の神経を優先的に励起するために、前記患者に前記パルスジェネレータから電気的な刺激を伝達するように、前記バンドにおいてスペースがあけられており、前記第１及び第３の電極は、前記腕又は手首の横断面において、前記第２の神経と前記第１の電極とを結ぶラインと、前記第２の神経と前記第３の電極とを結ぶラインととの間において、９０度から１８０度の角度が存在するように、設けられて及び構成されており、前記第１の神経及び前記第２の神経は、異なる神経である、
システム。
〔付記３〕
付記２に記載のシステムであって、前記円周のバンドが前記患者の腕又は手首の周りに固定されているとき、前記第１の電極は、前記患者の腕又は手首の背側に設けられており、前記第２の電極は、前記患者の腕又は手首の腹側に設けられており、及び、前記第３の電極は、前記第１の電極及び第２の電極の間において、前記患者の腕又は手首に設けられている、
システム。
〔付記４〕
付記１に記載のシステムであって、前記電極は各々中心を備えており、及び、前記電極中心は、約５ｍｍから前記手首又は腕の前記円周の４分の１離れている、
システム。
〔付記５〕
付記１に記載のシステムであって、前記バンドは、フレキシブル回路構成を備えており、前記バンドは、前記バンドの前記フレキシブル回路構成と前記パルスジェネレータとの間での、電気的通信も提供するリベットされたコネクタを介して前記ハウジングにくくり付けられる、
システム。
〔付記６〕
付記１に記載のシステムであって、前記ハウジングは、前記患者の手への方向に向けられるように構成された遠端と、前記患者の手から離れる方向に向けられるように構成された近端と、を備え、前記バンド、前記第１の電極、及び前記第２の電極は、前記ハウジングの前記近端よりも前記ハウジングの遠端により近い、
システム。
〔付記７〕
付記１に記載のシステムであって、前記パルスジェネレータは、前記単一のパルスジェネレータであり、前記システムは、更に、
少なくとも電極の１つのペアの間で、前記パルスジェネレータをスイッチするように構成されたスイッチマトリクス、を備える、
システム。
〔付記８〕
付記７に記載のシステムであって、前記スイッチマトリクスは、単一高電圧ソース及びグランンドを備える、
システム。
〔付記９〕
付記７に記載のシステムであって、前記スイッチマトリクスにおける各電極は、保護回路構成の自身のセットに関連付けられている、
システム。
〔付記１０〕
付記２に記載のシステムであって、前記パルスジェネレータから前記電極への交流刺激パターンを伝達するように構成されたコントローラ、を更に備える、
システム。
〔付記１１〕
付記１０に記載のシステムであって、前記刺激パターンは、前記患者の正中、放射、又は尺骨神経から選択された第１の神経への第１のパルス列、及び、前記患者の正中、放射、又は尺骨神経から選択された異なる神経に伝達される第２のパルス列において伝達される電気的刺激の複数の交流バーストのアプリケーションを備え、前記第１のパルス列及び前記第２のパルス列は、前記振戦の周期の約２分の１オフセットしている、
システム。
〔付記１２〕
付記１０に記載のシステムであって、前記刺激パターンは、電気的刺激の複数のバーストのアプリケーションを備え、各バーストは、約５０Ｈｚ及び２，０００Ｈｚの間の刺激周波数、及び約５０マイクロ秒及び１ミリ秒の間のパルス幅、及び、単相性長方形、二相性非対称長方形、あるいは、二相性対称長方形を含むグループから選択されたパルス形状を備える、
システム。
〔付記１３〕
付記１０に記載のシステムであって、前記刺激パターンは、電気的刺激の複数のバーストのアプリケーションを備え、各バーストは、前記振戦の周期の約２分の１の存続期間を備える、
システム。
〔付記１４〕
付記１に記載のシステムであって、前記患者の腕又は手首のモーションを測定するように構成されたモーションセンサ、を更に備える、
システム。
〔付記１５〕
付記１４に記載のシステムであって、前記モーションセンサは、３軸ジャイロスコープ又は加速度計を備える、
システム。
〔付記１６〕
付記１４に記載のシステムであって、前記パルスジェネレータ及び前記モーションセンサと通信するコントローラ、を更に備え、前記コントローラは、前記モーションセンサによって生成される信号に基づいて、前記振戦の１つ以上の特徴を決定するようにプログラムされている、
システム。
〔付記１７〕
付記１６に記載のシステムであって、前記振戦の前記１つ以上の特徴は、前記振戦周波数、前記振戦振幅、及び前記振戦位相を含むグループから選択される、
システム。
〔付記１８〕
付記１６に記載のシステムであって、前記コントローラは、前記振戦の前記決定された特徴に基づいて、前記電気的な刺激の１つ以上のパラメーターを調整するように、更にプログラムされる、
システム。
〔付記１９〕
付記２に記載のシステムであって、前記第１の電極、第２の電極、及び第３の電極は、前記パルスジェネレータとの電気的通信のための１つ以上の電気コネクタを有する、使い捨て可能であり置き換え可能であるフレキシブルサブストレートに設けられる、
システム。
〔付記２０〕
付記１９に記載のシステムであって、各電極は、くくり付け及び取り外しを行うことを援助するためにプルタブ、を更に備える、
システム。
〔付記２１〕
付記１９に記載のシステムであって、前記ハウジング及び／又はバンドは、前記第１の電極、第２の電極、及び第３の電極を取り外し可能に受けるための複数の電気的スナップ、を備える、
システム。
〔付記２２〕
付記１９に記載のシステムであって、前記第１の電極、第２の電極、及び第３の電極は、前記ハウジング及び／又はバンドにおける前記複数の電気的スナップの位置に対応するスペースを有する薄いライナーに設けられる、
システム。
〔付記２３〕
付記１９に記載のシステムであって、前記第１の電極、第２の電極、及び第３の電極が前記ハウジング及び／又はバンドに取り付けられ得るように、前記ハウジング及び前記バンドを確実に支持するクレードル、を更に備える、
システム。
〔付記２４〕
付記２３に記載のシステムであって、前記クレードルは、前記ハウジングの前記ベースが露出されるように、前記ハウジングを確実に受けるためのキャビティ、を備える、
システム。
〔付記２５〕
付記２に記載のシステムであって、前記第１の電極、第２の電極、及び第３の電極は、前記電極が前記ハウジング又はバンドから所定の距離伸びるように、前記ハウジング又はバンドに入り込まされている、
システム。
〔付記２６〕
付記１に記載のシステムであって、前記第１の電極及び第２の電極は、使い捨て可能であり置き換え可能である、
システム。
〔付記２７〕
付記１に記載のシステムであって、前記バンドは、前記電極を取り囲みこれらを脱水から保護するように構成されたモールド可能なギザギザを備える、
システム。
〔付記２８〕
付記１に記載のシステムであって、前記第１の電極及び前記第２の電極は、電気的に伝導性のハイドロゲルでコートされている、
システム。
〔付記２９〕
付記１に記載のシステムであって、前記第１の電極及び前記第２の電極は、フォーム裏層に接続される、
システム。
〔付記３０〕
付記２９に記載のシステムであって、前記フォーム裏層は、前記電極の間に曲がりくねった形状の部分を備える、
システム。
〔付記３１〕
付記１に記載のシステムであって、前記ハウジングは、１つ以上の押圧可能なユーザ入力ボタン、前記ハウジングのサイドに設けられた各ボタン、及び各ボタンから前記ハウジングの前記反対側における広い支え面、を備える、
システム。
〔付記３２〕
付記１に記載のシステムであって、前記ハウジングは、前記患者の腕又は手首の前記湾曲に沿うカーブした面を有する皮膚接触サイド、を備える、
システム。
〔付記３３〕
付記１に記載のシステムであって、再充電可能なバッテリと、前記バッテリを誘導的に充電するための外部ソースからのパワーを受けるように構成された誘導性コイルと、を更に備える、
システム。
〔付記３４〕
付記１に記載のシステムであって、前記電極は、約５ｍｍと前記腕又は手首の周りの４分の１との間の直径又は幅、を備える、
システム。
〔付記３５〕
振戦を患っている患者を治療する方法であって、
構成において前記患者の腕又は手首の周りに第１の電極及び第２の電極を備えるバンドを設けるステップであって、前記腕又は手首の横断面において、第１の神経と前記第１の電極との間にて伸びるラインと、前記第１の神経と前記第２の電極との間にて伸びるラインととの間において、９０度から１８０度の角度が存在し、前記第１の神経は、前記患者の正中、放射、又は尺骨神経から選択され、前記第１及び第２の電極は所定の距離だけ離されている、ステップと、
前記患者の振戦を減少させるために前記第１の神経を励起させるべく、前記電極から第１の電気的刺激を伝達するステップと、
を含む方法。
〔付記３６〕
付記３５に記載の方法であって、前記バンドは、前記第１及び第２の電極から所定の距離だけ離されている第３の電極、を備えており、第２の神経と前記第１の電極との間にて伸びるラインと、前記第２の神経と前記第３の電極との間にて伸びるラインととの間において、９０度から１８０度の角度が存在し、前記第２の神経は、前記患者の正中、放射、又は尺骨神経から選択される、
方法。
〔付記３７〕
付記３６に記載の方法であって、前記第２の神経を励起するために、前記第１の電極及び前記第３の電極から第２の電気的刺激を伝達するステップ、を更に備える、
方法。
〔付記３８〕
付記３６に記載の方法であって、第１の神経は前記正中神経であり、及び、前記第２の神経は前記放射神経である、
方法。
〔付記３９〕
付記３５に記載の方法であって、前記バンドはモーションセンサを取り囲んでいるハウジングに動作的に接続されており、及び、前記方法は、前記患者が振戦を引き起こすタスクを行っている間に、前記モーションセンサで前記振戦の１つ以上の特徴を測定するステップ、を更に含む、
方法。
〔付記４０〕
付記３９に記載の方法であって、前記振戦を引き起こすタスクは、指示されたタスク又は運動の活動である、
方法。
〔付記４１〕
付記４０に記載の方法であって、前記指示されたタスクは姿勢保持であり、及び、前記運動の活動は描くこと又は書くことである、
方法。
〔付記４２〕
付記３９に記載の方法であって、前記振戦を引き起こすタスクは、標準の一日の活動の一部として指示されずに前記患者が行うタスクである、
方法。
〔付記４３〕
付記３９に記載の方法であって、前記振戦の前記測定された特徴は、前記振戦の周波数スペクトラムを含む、
方法。
〔付記４４〕
付記４３に記載の方法であって、前記振戦の前記周波数スペクトラムにおける４から１２Ｈｚの範囲内での中心周波数ピークを決定することにより、振戦周波数を決定するステップ、を更に含む、
方法。
〔付記４５〕
付記３９に記載の方法であって、前記振戦の前記測定された特徴は、前記振戦の振幅を含む、
方法。
〔付記４６〕
付記３７に記載の方法であって、前記振戦の周期に基づく期間によって、前記第２の電気的刺激から前記第１の電気的刺激を時間的にオフセットするステップ、を更に含む、
方法。
〔付記４７〕
付記４６に記載の方法であって、前記期間は、前記振戦の前記周期を、刺激される神経の数によって割る関数である、
方法。
〔付記４８〕
付記４７に記載の方法であって、刺激される神経の数は２個である、
方法。
〔付記４９〕
付記３５に記載の方法であって、前記第１の電極は刺激装置の第１のコンタクトに電気的に通信し、前記第２の電極は前記刺激装置の第２のコンタクトに電気的に通信し、前記刺激装置は前記第１の電極及び前記第２の電極の間の電気パルスを生成するように構成されており、前記電気パルスは極性を有している、
方法。
〔付記５０〕
付記４９に記載の方法であって、前記刺激装置の前記第１のコンタクト及び前記第２のコンタクトをスイッチするステップであって、前記第１の電気的刺激が二相性であるように、前記電気パルスの前記極性を変更するために、前記第１の電極が前記第２のコンタクトと電気的に通信し、及び、前記第２の電極が前記第１のコンタクトと電気的に通信する、ステップ、を更に含む、
方法。
〔付記５１〕
付記３５に記載の方法であって、
前記患者のモーションを測定するステップと、
前記測定されたモーションのエネルギー、振幅、周波数、及びパターンを決定するステップと、
前記測定されたモーションの前記決定されたエネルギー、振幅、周波数、及びパターンに部分的に基づいて、振戦モーションから非振戦モーションを分けるステップと、を更に含む、
方法。
〔付記５２〕
付記３５に記載の方法であって、刺激感覚閾値及び筋肉収縮又は不快さ閾値を決定するステップ、を更に含む、
方法。
〔付記５３〕
付記５２に記載の方法であって、
前記刺激感覚閾値から筋肉収縮又は不快さ閾値への前記第１の電気的刺激の振幅を増加させるステップ、を更に含む、
方法。
〔付記５４〕
付記５３に記載の方法であって、前記第１の電気的刺激の振幅を増加させるステップは、前記振幅をリニアに又は急激に増加させるステップ、を含む、
方法。
〔付記５５〕
付記５３に記載の方法であって、前記第１の電気的刺激の振幅を増加させるステップは、振幅の減少によって分けられる革新的により大きいピークのシリーズにおいて、前記振幅を増加させるステップ、を含む、
方法。
〔付記５６〕
付記５３に記載の方法であって、前記第１の電気的刺激の振幅を増加させるステップは、前記振幅を前記筋肉収縮又は不快さ閾値よりも大きな値に増加させるステップと、この後に、前記振幅を前記筋肉収縮又は不快さ閾値よりも低く減少させるステップと、を含む、
方法。
〔付記５７〕
付記５３に記載の方法であって、前記第１の電気的刺激の振幅を増加させるステップは、前記振幅を階段的なインクリメントのシリーズにて増加させるステップ、を含み、振幅における各インクリメントは、所定の存続期間の間保持される、
方法。
〔付記５８〕
付記５７に記載の方法であって、振幅における各階段的なインクリメントは、各階段的なインクリメントにおける増加というよりも、大きさにおいてより小さい振幅の減少によってなされる、
方法。
〔付記５９〕
付記３７に記載の方法であって、前記第１の電気的刺激及び前記第２の電気的刺激は、前記振戦の位相に同調的でなく伝達される、
方法。
〔付記６０〕
付記３５に記載の方法であって、加速度計、ジャイロスコープ、磁力計、及び曲げセンサを含むグループから選択された、前記患者によって着用されるモーションセンサからの信号を分析することにより、前記振戦周波数及び位相を決定するステップ、を更に含む、
方法。
〔付記６１〕
付記３９に記載の方法であって、振戦を引き起こすタスクの間に前記振戦の特徴を測定するためにモーションセンサを用いるステップ、及び、前記刺激の波形のパラメーターを決定するためにこれらの振戦特徴を用いるステップは、リアルタイムで行われる、
方法。
〔付記６２〕
付記３７に記載の方法であって、前記第１の電気的刺激及び／又は前記第２の電気的刺激は、確率共鳴電気的刺激パターンを有する、
方法。
〔付記６３〕
付記３５に記載の方法であって、感覚閾値よりも高く且つ筋肉収縮閾値及び前記患者の痛み耐性閾値よりも低い電気的刺激のレベルを決定するステップ、を更に含む、
方法。
〔付記６４〕
付記３５に記載の方法であって、前記バンドの前記位置決めは、前記患者の手における感覚異常によって確かめられる、
方法。
〔付記６５〕
付記３５に記載の方法であって、前記バンドの前記位置決めは、前記ハウジングの形状と１つ以上の解剖学上の特徴との比較に部分的に基づいている、
方法。
〔付記６６〕
付記３５に記載の方法であって、前記第１の電気的刺激は、約２０及び６０分の間の存続期間を有する、
方法。
〔付記６７〕
振戦を患っている患者を治療する方法であって、
患者の手首の円周を決定するステップと、
バンドと、第１の電極、第２の電極、及び第３の電極のための所定の周りのスペースを有するハウジングとを提供するステップであって、前記所定の周りのスペースは、前記患者の手首の前記所定の円周に基づいており、前記ハウジングは、前記第１の電極、前記第２の電極、及び前記第３の電極と電気的に通信するように構成されたパルスジェネレータを取り囲み、前記バンド及びハウジングは、前記第１の電極が前記腕又は手首の前記背側の前記正中におおよそ沿って設けられ、前記第２の電極が前記腕又は手首の前記腹側の前記正中におおよそ沿って設けられ、及び、前記第３の電極が前記第１の電極及び前記第２の電極の間に設けられるように、前記手首に設けられるように構成されており、前記第１の電極及び前記第２の電極は第１の電極ペアを形成し、前記第１の電極及び前記第２の電極は第２の電極ペアを形成する、ステップと、
前記第１の電極ペアの間に第１の電気的刺激を伝達することによって第１の神経を刺激するステップと、
前記第２の電極ペアの間に第２の電気的刺激を伝達することによって第２の神経を刺激するステップと、を含む、
方法。
〔付記６８〕
振戦を患っている患者を治療する方法であって、
患者の手首の円周を決定するステップと、
バンドと、第１の電極、第２の電極、及び第３の電極のための所定の周りのスペースを有するハウジングとを選択するステップであって、前記所定の周りのスペースは、前記患者の手首の前記所定の円周に基づいており、前記ハウジングは、前記第１の電極、前記第２の電極、及び前記第３の電極と電気的に通信するように構成されたパルスジェネレータを取り囲む、ステップと、
前記第１の電極が前記腕又は手首の前記背側の前記正中におおよそ沿って設けられ、前記第２の電極が前記腕又は手首の前記腹側の前記正中におおよそ沿って設けられ、及び、前記第３の電極が前記第１の電極及び前記第２の電極の間に設けられるように、前記バンド及びハウジングを前記手首に設けるステップであって、前記第１の電極及び前記第２の電極は第１の電極ペアを形成し、前記第１の電極及び前記第２の電極は第２の電極ペアを形成する、ステップと、
前記第１の電極ペアの間に第１の電気的刺激を伝達することによって第１の神経を刺激するステップと、
前記第２の電極ペアの間に第２の電気的刺激を伝達することによって第２の神経を刺激するステップと、を含む、
方法。